(57)【特許請求の範囲】
【請求項１】
サービス情報を受信し利用するサービス情報受信装置において、
利用有効時間が記憶された所定の情報記憶媒体を装置本体に着脱可能であり、この情報記憶媒体が装置本体に装着されている間は、その装着された状態での時間経過に伴って該情報記憶媒体に記憶されている利用有効時間を徐々に短縮するように書き換える有効期間短縮手段と、
前記サービス情報が無料のサービス情報である場合は、該サービス情報の利用を許可する第１の許可手段と、
前記サービス情報が有料のサービス情報であり、且つ、前記情報記憶媒体に記憶されている利用有効時間が有効な残量である場合は、該サービス情報の利用を許可する第２の許可手段と、
前記サービス情報が有料のサービス情報であり、且つ、前記情報記憶媒体に記憶されている利用有効時間が有効な残量でない場合は、該サービス情報の利用を禁止する禁止手段と、
を具備したことを特徴とするサービス情報受信装置。
【請求項２】
前記サービス情報は、不特定多数の利用者が必要に応じて受信し利用することが可能な形態で放送されているサービス情報であることを特徴とする請求項１記載のサービス情報受信装置。
【請求項３】
前記サービス情報は、ＦＭ文字多重放送によって放送されているサービス情報であることを特徴とする請求項２記載のサービス情報受信装置。
【発明の詳細な説明】
【０００１】
【産業上の利用分野】
本発明は、ＦＭ多重放送に適用して好適な有料のサービス情報（選択呼出しサービスを含む）の受信及び送受信に好適なＦＭ多重放送受信装置、サービス情報受信装置及びサービス情報送受信システムに関する。
【０００２】
【従来の技術】
近年、ＦＭ放送電波に文字情報等のサービス情報を多重させて送信し、そのサービス情報を受信側に設けた表示手段に表示させるＦＭ放送電波を媒体としたサービスが考えられている。
【０００３】
このサービスは、いわゆる移動体ＦＭ文字多重放送とも称され、見えるラジオ（Ｖｉｓｕａｌ  Ｉｎｆｏｒｍａｔｉｏｎ  Ｒａｄｉｏ）として実用化されつつある。
具体的には、送信側のＦＭ放送局から通常のＦＭ放送電波に文字や数字等の表示情報を多重化させた電波を送信し、受信側に設けた液晶ディスプレイ付きＦＭラジオにより前記電波を受信してＦＭ放送電波と文字や数字等の表示情報とを分離し、表示情報を文字コードに変換して液晶ディスプレイに表示し利用者の視認に供するようにしたものである。これにより、利用者は例えば天気予報、交通情報等を文字により視認することが可能となる。
【０００４】
上述した移動体ＦＭ文字多重放送においては、無料のサービス情報の提供の他、特定のサービス情報については有料化することが考えられている。
【０００５】
【発明が解決しようとする課題】
上述した移動体ＦＭ文字多重放送における有料サービス情報を利用者に提供する場合、この移動体ＦＭ文字多重放送を営む事業者は何等かの方法で利用者から利用料金を徴収する必要があるが、単純に事業者と利用者との間の料金月払い契約等で徴収しようとすると、利用者側の支払い滞納等が生じ易く、利用者の管理が煩雑になるという問題がある。
【０００６】
また、利用者側にしてみれば、事業者又は金融機関等へ利用料金を支払いに行かなければならず、利用者側の負担が大きいという問題がある。さらに、移動体ＦＭ文字多重放送の場合、ＦＭ放送電波を利用する関係上支払い滞納の利用者のみサービス情報の提供を中止することは実際上困難である。
【０００７】
そこで、本発明は、有料のサービス情報の移動体ＦＭ文字多重放送を行う際に、利用者にとって利用料金の支払い処理が簡略であり、事業者から利用者への課金処理の煩雑さがないＦＭ多重法送受信装置、サービス情報受信装置及びサービス情報送受信システムを提供することを目的とする。
【００１２】
【課題を解決するための手段】
請求項１記載の発明は、サービス情報を受信し利用するサービス情報受信装置において、利用有効時間が記憶された所定の情報記憶媒体を装置本体に着脱可能であり、この情報記憶媒体が装置本体に装着されている間は、その装着された状態での時間経過に伴って該情報記憶媒体に記憶されている利用有効時間を徐々に短縮するように書き換える有効期間短縮手段と、前記サービス情報が無料のサービス情報である場合は、該サービス情報の利用を許可する第１の許可手段と、前記サービス情報が有料のサービス情報であり、且つ、前記情報記憶媒体に記憶されている利用有効時間が有効な残量である場合は、該サービス情報の利用を許可する第２の許可手段と、前記サービス情報が有料のサービス情報であり、且つ、前記情報記憶媒体に記憶されている利用有効時間が有効な残量でない場合は、該サービス情報の利用を禁止する禁止手段と、を具備したことを特徴としています。
【００２９】
【実施例】
以下に、本発明の実施例を詳細に説明する。
【００３０】
図１は、本発明の第１の実施例のサービス情報受信装置１を含む移動体ＦＭ文字多重放送のシステム構成を示すものである。
【００３１】
移動体ＦＭ文字多重放送のシステムは、有料及び無料のサービス情報を多重化したＦＭ放送電波を送信する事業者であるＦＭ放送局３と、このＦＭ放送局３からのＦＭ放送電波を受信する本実施例のサービス情報受信装置１と、このサービス情報受信装置１において有料のサービス情報を受信する際に用いる情報記憶媒体であるプリペイドカード２の購入代金の支払いを行う前記ＦＭ放送局３と所定の料金契約をした金融機関４とから構成されている。
【００３２】
次に、前記サービス情報受信装置１について、図２乃至図５を参照して説明する。
【００３３】
このサービス情報受信装置１は、図２に示すように、略直方体状の装置本体１Ａの表面に、キー入力部５、サービス情報等を表示する表示手段としての表示部６を具備している。キー入力部５は、文字削除キー７、機能選択キー８、ひらがな、カタカナ等を選択する文字選択キー９、絵文字キー１０、あ乃至わのひらがなを入力するひらがな入力キー群１１、放送電波のチューニングを行うチューニングキー１２、ラジオ、サービス情報の切り替えキー１３、情報メモリキー１４、情報メニューキー１５、ＯＫキー１６、ＦＭ多重の番組選択、カーソル移動、実行、計算実行等を行うカーソルキー１７、情報バンク、電話、計算、シークレット等のモードを選択するモードキー群１８等を設けている。
【００３４】
前記サービス情報受信装置１の一方の側面には、図３に示すように、ステレオヘッドホン用ジャック１９、音量調整ダイヤル２０、電源スイッチ２１を設けている。前記サービス情報受信装置１の他方の側面には、図４に示すように、情報記憶媒体であるプリペイドカード２を装着するスロット２２を設けている。
【００３５】
図５は、前記プリペイドカード２の外観を示すものであり、このプリペイドカード２には前記スロット２２に対する挿入方向を示す矢印５１が表示されているとともに、支払い代金である例えば５０００円の文字が付されている。また、前記プリペイドカード２には、磁気ストライプＭＳが設けられ、この磁気ストライプＭＳに磁気情報の形態で後述するような各種の情報が記憶されるようになっている。
【００３６】
図６は、前記サービス情報受信装置１の構成を示すブロック図であり、ＦＭ放送電波を受信する対応する音声を発音するＦＭラジオ部３０と、このＦＭラジオ部３０により受信したＦＭ放送電波に多重化されている有料、無料のサービス情報の受信に対する各種の処理を行うサービス情報受信部４０とを有している。
【００３７】
前記ＦＭラジオ部３０は、ＦＭ放送電波を受信するアンテナ３１と、ＦＭ放送電波のチューニングを行うＦＭチューナ３２と、ＦＭ信号の復調を行うＦＭ復調器３３と、復調されたＦＭ信号をステレオ信号にするステレオ復調器３４と、このステレオ復調器３４の出力信号を増幅する一対のアンプ３５ａ、３５ｂと、アンプ３５ａ、３５ｂで増幅された信号を音声として出力する一対のスピーカ３６ａ、３６ｂとを具備している。前記ステレオヘッドホン用ジャック１９にステレオヘッドホンを装着してＦＭステレオ放送を聴取することももちろん可能である。
【００３８】
前記サービス情報受信部４０は、前記ＦＭ復調器３３に接続され、前記ＦＭステレオ放送のＬ、Ｒ信号の変調度に対応して多重信号の大きさ（レベル）を４乃至１０％まで変化するデジタル変調を行いＦＭ放送電波に多重化されているサービス情報を分離するＬ−ＭＳＫ（Level controlled Minimam Shift Keying)復調器４１と、誤り訂正符号器４２と、分離されたサービス情報に対する各種の処理を行う受信処理手段としての受信処理部４３とを有している。この受信処理部４３に対して、図５に示すように、処理プログラムを格納したＲＯＭ４４と、前記キー入力部５及び表示部６と、前記プリペイドカード２に対する読取り書き込み処理を行うカード処理部４５と、受信データ（受信情報）を記憶する受信データメモリ４７及び前記キー入力部５からの入力データ（入力情報）を記憶する入力データメモリ４８と、受信処理部４３の処理結果に応じて警報を発するブザー等の報音部４９と、前記キー入力部５におけるチューニングキー１２の操作に応じて前記ＦＭチューナ３２の受信チューニングを行う受信制御部５５とを接続している。
【００３９】
図７は、前記ＦＭ放送局３に配置されるサービス情報送信装置７０を示すものであり、このサービス情報送信装置７０は、送信部７１と、多重化処理部７２と、後述するような有料、無料のサービス情報を多重化処理部７２に送り出す送信処理手段である送信処理部７３とを具備している。送信部７１は、音声情報のステレオ変調を行うステレオ変調器７５と、ＦＭ変調器７６と、送信機７７と、送信アンテナ７８とを具備している。多重化処理部７２は、符号化部７８、多重化部７９、誤り訂正付加部８０、Ｌ−ＭＳＫ変調器８１を具備している。
【００４０】
前記ＦＭ放送電波に多重化されるサービス情報の送信信号フォーマットについて図８乃至図１０を参照して説明する。図８は番組番号（例えば１乃至１００）及び無料のサービス情報であるメッセージ情報（例えば道路情報）の送信信号フォーマットの例であり、図９に示す例は、番組番号（例えば１０１乃至２５４）と、有料ＩＤコード及び天気予報、株式情報等のメッセージ情報からなる有料のサービス情報の送信信号フォーマットの例であり、図１０に示す例は、番組番号（例えば２５５、２５６）と、有料ＩＤコード及び連絡メーセージ（例えば「１０月１日から番組番号１５０でサッカー情報の有料サービス情報が開始されます。という内容のメッセージ）の送信信号フォーマットの例である。
【００４１】
図１１は、前記ブリペイドカード２の磁気ストライプＭＳに記憶される利用者のＩＤコード（例えば１２３４）及び受信可能回数を示す利用可能回数情報（例えば、１００回）の例を示すものである。
【００４２】
図１２は、前記受信データメモリ４７のメモリエリア構造を示すものであり、この受信データメモリ４７は、番組番号（例えば１乃至２５６）に対応して、無料のサービス情報を記憶する無料エリアａと、有料のサービス情報を記憶する有料エリアｂと、連絡メーセージエリアｃとを具備している。
【００４３】
次に、前記サービス情報受信装置１の作用を図１３乃至図１５を参照して説明する。図１３は、前記プリペイドカード２に図１１に示す利用可能回数情報が記憶されている場合の受信動作のフローチャートを示すものである。
【００４４】
前記サービス情報送信装置７０により発信された有料、無料のサービス情報が多重化されているＦＭ放送電波が着信し（Ｓ１）、前記Ｌ−ＭＳＫ復調器４１を経てサービス情報が入力される毎に、前記受信処理部４３はまずサービス情報の番組番号を判断する（Ｓ２）。
【００４５】
そして、受信処理部４３は番組番号が無料のものであると判断した場合には（Ｓ３）、対応する図８に示す例えば道路情報のような無料のメッセージ情報を取り込み（Ｓ４）、このとき、既に表示指定されているか、前記キー入力部５の操作による表示指定があれば（Ｓ５）、このメッセージ情報を前記表示部６に表示させる（Ｓ６）。
【００４６】
一方、ステップ３で無料ではなく図９に示すような有料ＩＤコードが存在する有料の番組番号と判断した場合には、前記スロット２２にプリペイドカード２が装着されているか否かを判断し（Ｓ７）、装着されていなければ受信終了とし、装着されていればさらに前記有料ＩＤコードとプリペイドカード２に記録したＩＤコードとの一致不一致を判断する（Ｓ８）。
【００４７】
有料ＩＤコードとプリペイドカード２に記録したＩＤコードとが一致しない場合（Ｓ９）には受信終了とし、一致した場合にはさらに図１５に表示例を示すような事業者からの連絡メッセージか否かを判断する（Ｓ１０）。ここで、連絡メッセージでないと判断した場合には、前記プリペイドカード２に記録した利用可能回数（残り回数）が０か否かを判断する（Ｓ１１）。残り回数が０でなければ、有料のメーセージ情報を受信データメモリ４７の前記番組番号１０１乃至２５４の有料エリアｂに記憶する（Ｓ１２）。このとき、既に表示指定されているか、前記キー入力部５の操作による表示指定があれば（Ｓ１３）、このメッセージ情報を前記表示部６に表示させる（Ｓ１４）。
【００４８】
ステップ１３あるいはステップ１４の処理に続いて、受信処理部４３は前記プリペイドカード２に記録した利用可能回数情報の残り回数から１をマイナスする書き替え処理、即ち、利用可能回数情報の価値を１回だけ減らす処理を行い（Ｓ１５）、書き替えた残り回数の情報を前記表示部６に送って図１４に示すように表示する。これにより、使用者は自己のプリペイドカード２の利用可能な残り回数を明確に認識でき、次のプリペイドカード２の購入又は新たな利用可能回数情報の書き込みの目安とすることができる。
【００４９】
次に、前記受信処理部４３は前記プリペイドカード２に記録した残り回数が０か否かの判断を行い（Ｓ１６）、０になった場合には前記報音部４９を制御してブザー音等を発音させ使用者に報知する（Ｓ１７）。これにより、使用者は自己のプリペイドカード２が無効になったことを明確に認識できる。
【００５０】
前記ステップ１０で、図１０に示すような事業者からの連絡メッーセージであると判断された場合には、受信処理部４３はこの連絡メッーセージを受信データメモリ４７の連絡メッーセージエリアｃに記憶し（Ｓ１８）、このとき、既に表示指定されているか、前記キー入力部５の操作による表示指定があれば（Ｓ１９）、このサービス情報におけるメッセージ情報を前記表示部６に図１５に示すように表示させる（Ｓ２０）。これにより、使用者は自己の受信したい有料サービス情報の開始あるいは終了を知ることができるので、プリペイドカード２の購入又は着脱の必要性を認識できる。
なお、図１３のフローチャートでは、全ての有料のサービス情報の受信に際して、残り受信回数から１をマイナスするようにしたが、有料のサービス情報の種類（番組番号）によって価値を変えて、その価値によってマイナスする回数を変化させるようにしてもよい。
【００５１】
次に、本発明の第２の実施例について図１６乃至図２０を参照して説明する。本発明の第２の実施例においては、図１６に示すように前記受信処理部４３に対して年月日を含む時刻を計時する計時部（時計）４６を付加したものである。
【００５２】
この場合には、前記プリペイドカード２には図１９に示すようなＩＤコード、使用終了日からなる受信可能期間が記憶される。また、サービス情報送信装置７０からは、既述した図８、図９、図１０に示すようなメッセージ情報及び図１７に示すような計時部４６の時刻を修正するための有料ＩＤコード、時刻情報が送信される。
【００５３】
図２０において図１３と同様な処理のステップを省略し、図１３のステップ１乃至ステップ１７に対応するステップをステップ２１、２２で示している。
【００５４】
上述したステップ１乃至ステップ１０までの処理の後、受信処理部４３は前記計時部４６がＦＭ放送局３からの最新の時刻情報により修正されており、かつ、有料のサービス情報の着信時刻がプリペイドカード２に記録された使用終了年月日を超えていないと判断した場合には（Ｓ２１）、有料のサービス情報を受信データメモリ４７の有料エリアｂに記憶する（Ｓ２２）。このとき、前記表示部６には、受信した有料のサービス情報が表示指定されているか、前記キー入力部５の操作による表示指定があれば、このメッセージ情報が表示されるとともに、図２１に示すようなプリペイドカード２の記憶内容に従った現在年月日、終了年月日が表示される。尚、終了年月日から現在年月日を減算し、残存する受信可能期間を表示するようにしてもよい。これにより、使用者は自己のプリペイドカード２の残りの受信可能期間を明確に認識でき、プリペイドカード２の購入又は新たな受信可能期間情報の書き込みの目安とできる。
【００５５】
また、前記計時部６がＦＭ放送局３からの最新の時刻情報により修正されていない、又は、有料のサービス情報の着信時刻がプリペイドカード２に記録された使用終了年月日を超えていると判断した場合には、サービス情報におけるメッセージ情報の表示、記憶処理を行うこと無く本処理を終了する。
なお、ここで図１８に示すようなＩＤコード、使用開始年月日、使用終了年月日からなる受信可能期間が記憶されたプリペイドカード２を用いる場合は、ステップ２１の処理で使用開始年月日を超えているか否かの判断処理を付け加える必要がある。
【００５６】
次に、図２２乃至図２５を参照して本発明の第３の実施例を説明する。本発明の第３の実施例においては、図２２に示すように前記送信処理部７３に計時部８５を接続して、サービス情報送信装置７０により図２３に示すような有料ＩＤコード、時刻情報及びメッセージ情報を有する有料のサービス情報を送信するものである。また、この場合には、前記プリペイドカード２には図１９に示すような情報が記憶されており、受信処理部４３の構成は、図６に示す場合と同様にして第２実施例の場合のような計時部４６は用いない。
【００５７】
また、図２４において図１３と同様な処理のステップを省略し、図１３のステップ１１乃至ステップ１７に対応するステップをステップ３１、３２で示している。
【００５８】
ステップ１乃至１０の処理の後、受信処理部４３が事業者からの連絡メッセージでないと判断した場合には、図２４のステップ３１に移り、受信処理部４３はメッセ−ジ情報とともに受信した時刻情報がプリペイドカード２の使用終了年月日を超えていないと判断したときには（Ｓ３１）、有料のサービス情報におけるメッセージ情報を受信した番組番号に対応する有料エリアｂに記憶する（Ｓ３２）。前記表示部６には、受信した有料のサービス情報が表示指定されているか、前記キー入力部５の操作による表示指定があれば、このメッセージ情報が表示されるとともに、図２５に示すような使用終了日が表示される。
【００５９】
次に、図２６乃至図２９を参照して本発明の第４の実施例を説明する。
この場合には、受信処理部４３に図２６に示すようにタイマ９０を接続するとともに、前記プリペイドカード２に図２７に示すように年月日の代りに受信有効期間（３ケ月、６ケ月等）情報を記憶している。また、前記サービス情報送信装置７０により既述した場合と同じく図９に示すような番組番号、有料ＩＤコード、メッセージ情報を有する有料のサービス情報を送信するものである。
【００６０】
また、図２８において図１３と同様な処理のステップを省略し、図１３のステップ１１乃至ステップ１７に対応するステップをステップ４１、４２で示している。
【００６１】
ステップ１乃至１０の処理の後、受信処理部４３は、事業者からの連絡メッーセージでないと判断した場合には、タイマ９０により徐々に短縮されていくプリペイドカード２の受信有効期間（残り期間）がゼロか否か判断し（Ｓ４１）、受信有効期間がゼロでなければ有料のサービス情報におけるメッセージ情報を受信した番組番号に対応する有料エリアｂに記憶する（Ｓ４２）。前記表示部６には、受信した有料のサービス情報が表示指定されているか、前記キー入力部５の操作による表示指定があればこのメッセージ情報が表示されるとともに、図２９に示すような残り期間、例えば、１ケ月２日が表示される。また、ステップ４１で残り期間がゼロと判断した場合には、前記サービス情報におけるメッセージ情報の表示、記憶を行わずに本処理を終了する。
【００６２】
ここで、プリペイドカード２に記憶されている受信有効期間情報は、このプリペイドカード２がサービス情報受信装置１の装着されている間前記タイマ９０によりカウントダウン又はカウントアップされ、その受信有効期間が徐々に短縮される。
【００６３】
尚、上述した実施例では、プリペイドカード２に記憶している情報の種類別に説明したが、複数種のプリペイドカード２に上述した各実施例のような複数種の有料サービス情報の受信用の情報を種類別に記憶し、サービス情報受信装置１に装着したとき、受信処理部４３によりその種類を判別し対応する受信処理をするようにすることもできる。
【００６４】
また、上述した実施例では、プリペイドカード２の着脱により、有料サービス情報の受信可否をコントロールしたが、サービス情報受信装置１に所定の操作キーを設け、プリペイドカード２を装着したまま有料サービス情報の受信可否をコントロールしてもよい。
【００６５】
また、上述した実施例では、全ての有料サービス情報を受信して記憶するようにしたが、表示指定又は受信指定（サービス情報受信装置１により又はプリペイドカード２自体に購入時に指定）されている番組番号の有料サービス情報のみを受信し、記憶するようにしてよい。
【００６６】
また、上述した実施例では情報記憶媒体としてプリペイドカード２を使用する場合を説明したが、この他、ＩＣカード等のサービス情報受信装置１に着脱可能な媒体を用いることもできる。
【００６７】
本発明は、移動体ＦＭ多重放送のシステムに適用する他、無線通信を利用するページングシステム等や、各種の通信、放送に幅広く適用できる。
【００６８】
【発明の効果】
以上説明した本発明によれば、以下の効果を奏する。
【００７３】
請求項１記載の発明によれば、利用有効時間が設定された情報記憶媒体が装置本体に装着されている間は、この情報記憶媒体の利用有効時間を消費しながら放送されているサービス情報を利用することができるので、サービス情報の提供を行う事業者による利用者管理が万全となるサービス情報受信装置を提供することができる。
【図面の簡単な説明】
【図１】本発明の第１の実施例装置を含む移動体ＦＭ多重文字多重放送のシステム構成を示す概略説明図である。
【図２】本実施例のサービス情報受信装置の平面図である。
【図３】本実施例のサービス情報受信装置の左側面図である。
【図４】本実施例のサービス情報受信装置の右側面図である。
【図５】本実施例のサービス情報受信装置に使用するプリペイドカードの正面図である。
【図６】本実施例のサービス情報受信装置の構成を示すブロック図である。
【図７】本実施例のサービス情報送信装置の構成を示すブロック図である。
【図８】無料のサービス情報の送信信号フォマット図である。
【図９】有料のサービス情報の送信信号フォマット図である。
【図１０】連絡メッセージを含む有料のサービス情報の送信信号フォ−マット図である。
【図１１】本実施例のサービス情報受信装置に使用するプリペイドカードの記録内容の一例を示す説明図である。
【図１２】本実施例のサービス情報受信装置の入力データメモリの内容を示す説明図である。
【図１３】本実施例のサービス情報受信装置によるサービス情報の処理内容を示すフローチャートである。
【図１４】本実施例のサービス情報受信装置における表示部の受信残り回数の表示例を示す説明図である。
【図１５】本実施例のサービス情報受信装置における表示部の連絡メッセージの表示例を示す説明図である。
【図１６】本発明の第２の実施例の計時部を設けたサービス情報受信装置の一部を示すブロック図である。
【図１７】本発明の第２の実施例における有料のサービス情報の送信信号フォ−マット図である。
【図１８】本発明の第２の実施例におけるサービス情報受信装置に使用するプリペイドカードの記録内容の一例を示す説明図である。
【図１９】本発明の第２の実施例におけるサービス情報受信装置に使用するプリペイドカードの記録内容の他例を示す説明図である。
【図２０】本発明の第２の実施例の有料のサービス情報の処理内容を示すフローチャートである。
【図２１】本発明の第２の実施例のサービス情報受信装置における表示部の期間の表示例を示す説明図である。
【図２２】本発明の第３実施例のサービス情報送信装置における送信処理部及び計時部のブロック図である。
【図２３】本発明の第３の実施例の有料のサービス情報の送信信号フォ−マット図である。
【図２４】本発明の第３の実施例の有料のサービス情報の処理内容を示すフローチャートである。
【図２５】本発明の第３の実施例のサービス情報受信装置による使用終了日の表示例を示す説明図である。
【図２６】本発明の第４の実施例のサービス情報受信装置におけるタイマを設けた構成を示すブロック図である。
【図２７】本発明の第４の実施例のサービス情報受信装置におけるプリペイドカードの記録内容を示す説明図である。
【図２８】本発明の第３の実施例の有料のサービス情報の処理内容を示すフローチャートである。
【図２９】本発明の第３の実施例のサービス情報受信装置における表示部の残り受信有効期間の表示例を示す説明図である。
【符号の説明】
１  サービス情報受信装置
１Ａ  装置本体
２  プリペイドカード
３  ＦＭ放送局
４  金融機関
５  キー入力部
６  表示部
３０  ＦＭラジオ部
４０  サービス情報受信処理部
４３  受信処理部
４６  計時部
４８  入力データメモリ
４９  報音部
７０  サービス情報送信装置
７３  送信処理部
９０  タイマ
【図１】
0003867300.tif 000002
【図２】
0003867300.tif 000003
【図３】
0003867300.tif 000004
【図４】
0003867300.tif 000005
【図５】
0003867300.tif 000006
【図６】
0003867300.tif 000007
【図７】
0003867300.tif 000008
【図８】
0003867300.tif 000009
【図９】
0003867300.tif 000010
【図１０】
0003867300.tif 000011
【図１１】
0003867300.tif 000012
【図１２】
0003867300.tif 000013
【図１３】
0003867300.tif 000014
【図１４】
0003867300.tif 000015
【図１５】
0003867300.tif 000016
【図１６】
0003867300.tif 000017
【図１７】
0003867300.tif 000018
【図１８】
0003867300.tif 000019
【図１９】
0003867300.tif 000020
【図２０】
0003867300.tif 000021
【図２１】
0003867300.tif 000022
【図２２】
0003867300.tif 000023
【図２３】
0003867300.tif 000024
【図２４】
0003867300.tif 000025
【図２５】
0003867300.tif 000026
【図２６】
0003867300.tif 000027
【図２７】
0003867300.tif 000028
【図２８】
0003867300.tif 000029
【図２９】
0003867300.tif 000030